(57)【要約】【課題】表示装置とこれに接続される複数の情報端末機の接続において、制御信号接続部と映像信号接続部の接続状態の組合せの設定を容易に行なうことができる表示装置、表示装置における情報端末機の設定方法および表示システムを提供する。【解決手段】接続された情報処理装置による操作を可能にしたディスプレイ（１０）において、ＵＳＢ端子（１３１，１３２）と、第１の映像入力端子（１４０）と，第２の映像入力端子（１５０）と、情報処理装置にディスプレイ（１０）の固有情報を送信する入力信号処理部（１１４）と、情報処理装置から送信された固有情報に基づき、情報処理装置がディスプレイ（１０）の映像入力端子と接続されているか否かを判定して、情報処理装置が接続されている映像入力端子を特定する映像端子・ＵＳＢ端子紐付け処理部（１２２）と、を備えることを特徴とする。【選択図】図１
2018194584.tif 000002
【特許請求の範囲】
【請求項１】
受信した制御信号に基づき設定処理が可能な情報端末機と接続される表示装置において、
前記情報端末機との間で制御信号の通信接続を行なう制御信号接続部と、
前記情報端末機との間で映像信号の通信接続を行なう複数の映像信号接続部と、
前記制御信号接続部に接続された情報端末機に対して、前記情報端末機が接続している表示装置から取得した固有情報を要求して、前記情報端末機から受信した前記固有情報に基づき、前記情報端末機が当該表示装置の映像信号接続部と接続されているか否かを判定して、前記情報端末機が接続されている制御信号接続部と映像信号接続部とを特定する設定処理部と、
を備えることを特徴とする表示装置。
【請求項２】
前記情報端末機と前記映像信号接続部または前記制御信号接続部との接続を検出したとき、前記表示装置に接続されている情報端末機に前記表示装置の固有情報を送信する固有情報送信部を備えることを特徴とする請求項１に記載の表示装置。
【請求項３】
前記設定処理部は、前記映像信号接続部を介して送信した固有情報と、前記制御信号接続部を介して受信した固有情報とが一致している場合は、前記映像信号接続部と前記制御信号接続部とが同じ情報処理装置と接続されていると判定することを特徴とする請求項１または２に記載の表示装置。
【請求項４】
前記表示装置は、前記設定処理部による判定結果を前記表示装置の表示部に表示することを特徴とする請求項１から３のうちの何れか一項に記載の表示装置。
【請求項５】
受信した制御信号に基づき設定処理が可能な情報端末機と接続される表示装置における情報端末機の設定方法において、
前記情報端末機との間で制御信号の通信接続を行なう制御信号の接続工程と、
前記情報端末機との間で映像信号の通信接続を行なう複数の映像信号の接続工程と、
前記制御信号が通信可能に接続された情報端末機に対して、前記情報端末機が接続している表示装置から取得した固有情報を要求する工程と、
前記情報端末機から受信した前記固有情報に基づき、前記情報端末機が当該表示装置と映像信号が通信可能に接続されているか否かを判定する工程と、
前記情報端末機が接続されている制御信号が通信可能な接続部と映像信号が通信可能な接続部とを特定する設定処理工程と、
を備えることを特徴とする表示装置における情報端末機の設定方法。
【請求項６】
受信した制御信号に基づき設定処理が可能な情報端末機と接続される表示装置と、前記表示装置に接続可能な情報端末機とを含む表示システムにおいて、
前記表示装置として、
前記情報端末機との間で制御信号の通信接続を行なう制御信号接続部と、
前記情報端末機との間で映像信号の通信接続を行なう複数の映像信号接続部と、
前記制御信号接続部に接続された情報端末機に対して、前記情報端末機が接続している表示装置から取得した固有情報を要求して、前記情報端末機から受信した前記固有情報に基づき、前記情報端末機が当該表示装置の映像信号接続部と接続されているか否かを判定して、前記情報端末機が接続されている制御信号接続部と映像信号接続部とを特定する設定処理部と、を備える表示装置を用いることを特徴とする表示システム。
【発明の詳細な説明】
【技術分野】
【０００１】
本発明は、表示装置、表示装置における情報端末機の設定方法および表示システムに関する。
【背景技術】
【０００２】
近年、コンピュータやＡＶ装置などコンテンツを表示する様々な装置において、大画面化が進んでいる。そして、タッチ操作が可能な大画面の表示装置を用いて、多数のコンテンツを一度に表示させるようにしたものや、複数のユーザが１つの表示画面を共有して使用するようにしたものが知られている。
【０００３】
従来の大画面のディスプレイ１０Ａでは、例えば、図９に示すように、ディスプレイ１０Ａの背面１０１Ａの側面側と底面側とにそれぞれタッチ出力用のＵＳＢ端子１３１ａ，１３２ａと複数の映像入力端子であるＨＤＭＩ１端子１４１ａ、ＨＤＭＩ２端子１４２ａ、ＨＤＭＩ３端子１４３ａ、ディスプレイポート１端子１５１ａ、ディスプレイポート２端子１５２ａ、Ｄ−ｓｕｂ端子１５３ａとが配置されて、複数の情報端末機（ＰＣ）２０Ａが接続可能に構成されている。
【０００４】
そして、ディスプレイ１０Ａにおいて、例えば「タッチ出力設定」メニューにより、ディスプレイ１０Ａで表示している映像入力端子であるＨＤＭＩ１端子１４１ａ、ＨＤＭＩ２端子１４２ａ、ＨＤＭＩ３端子１４３ａ、ディスプレイポート１端子１５１ａ、ディスプレイポート２端子１５２ａ、Ｄ−ｓｕｂ端子１５３ａと、タッチ出力用のＵＳＢ端子１３１ａ，１３２ａとの組み合わせを設定できるようになっている。
【０００５】
例えば、大画面のディスプレイ１０Ａを用いて会議を行なう場合、会議出席者が情報端末機（ＰＣ）２０Ａを持ち込んで、図９に示すように、ディスプレイ１０Ａの側面側のＵＳＢ端子１３２ａにＵＳＢケーブル１３０ｂを接続して、ＨＤＭＩ２端子１４２ａに映像ケーブル１４０ｂを接続した場合は、「タッチ出力設定」は、側面ＵＳＢ：ＨＤＭＩ２  と設定する必要がある。
【０００６】
この「タッチ出力設定」は、会議出席者であるユーザが手動で行うことが通常行なわれている。そして、使用するＰＣごとに接続する映像入力端子やＵＳＢ端子が変わるため、再設定が必要となり煩わしいという問題があった。また、設定によっては意図しないＰＣにタッチ出力をしてしまうこともあり、会議の生産性が低下するという問題があった。
【０００７】
そこで、従来技術として、例えば、複数のモニターが接続されているマルチモニター環境のキャリブレーションを自動的に実行することができるポート検出装置であって、モニターと接続する制御信号ポート（ＵＳＢ端子）および映像信号ポート（映像入力端子）の組合せを検出することのできるポート検出方法が開示されている。
【０００８】
そして、各モニターと接続する制御信号ポートおよび映像信号ポートを介して、モニターにおける第１の固有データ（ＨＩＤテーブル）および第２の固有データ（ＥＤＩＤ）を取得し、第１の固有データと第２の固有データとに基づいて、各モニターと接続する制御信号ポートおよび映像信号ポートの組合せを検出することが開示されている（特許文献１を参照）。
【先行技術文献】
【特許文献】
【０００９】
【特許文献１】特開２００５−２６７６１７号公報
【発明の概要】
【発明が解決しようとする課題】
【００１０】
しかしながら、特許文献１に記載される従来技術では、制御信号ポートおよび映像信号ポートを介して取得されたそれぞれのモニターにおける第１の固有データ（ＨＩＤテーブル）および第２の固有データ（ＥＤＩＤ）に基づいて各モニターと接続する制御信号ポートおよび映像信号ポートの組合せを検出することはできるが、表示装置と接続される複数の端末装置との制御信号ポートおよび映像信号ポートの組み合わせを設定するものではなかった。
【００１１】
本発明は、上記問題に鑑みてなされたものであって、表示装置とこれに接続される複数の情報端末機の接続において、制御信号接続部と映像信号接続部の接続状態の組合せの設定を容易に行なうことができる表示装置、表示装置における情報端末機の設定方法および表示システムを提供することを目的とする。
【課題を解決するための手段】
【００１２】
本発明は、受信した制御信号に基づき設定処理が可能な情報端末機と接続される表示装置において、前記情報端末機（例えば、情報処理装置（ＰＣ））との間で制御信号の通信接続を行なう制御信号接続部（例えば、ＵＳＢ端子）と、前記情報端末機との間で映像信号の通信接続を行なう複数の映像信号接続部（例えば、映像入力端子）と、前記制御信号接続部に接続された情報端末機に対して、前記情報端末機が接続している表示装置から取得した固有情報を要求して（例えば、情報取得要求コマンドを送信）、前記情報端末機から受信した前記固有情報に基づき、前記情報端末機が当該表示装置の映像信号接続部と接続されているか否かを判定して、前記情報端末機が接続されている制御信号接続部と映像信号接続部とを特定する設定処理部（映像端子・ＵＳＢ端子紐付け処理部）と、を備えることを特徴とするものである。
【００１３】
本発明において、固有情報は、表示装置と映像入力端子とを特定できる情報であって、例えば、表示装置のＥＤＩＤ情報を使用して、製造メーカ名、機種名、プロダクツコード、シリアル番号の情報、接続端子の情報などを含むものとする。
【００１４】
前記表示装置では、前記表示装置と前記情報端末機との間で前記映像信号接続部の接続を検出したとき、前記表示装置に接続されている情報端末機に前記表示装置の固有情報を送信することを特徴としている。
【００１５】
そして、前記設定処理部では、前記映像信号接続部を介して送信した固有情報と、前記制御信号接続部を介して受信した固有情報とが一致している場合は、前記映像信号接続部と前記制御信号接続部とが同じ情報処理装置と接続されていると判定することを特徴としている。
【００１６】
本発明の表示装置においては、例えば、映像入力端子経由で送信した固有情報とＵＳＢ端子経由で取得した固有情報が一致している場合は、同じ情報端末機と表示装置とが映像入力端子、ＵＳＢ端子両方で接続されていると判定し、かつ、前記情報端末機に対する表示装置側のＵＳＢ端子と映像入力端子が特定される。
【００１７】
また、本発明は、受信した制御信号に基づき設定処理が可能な情報端末機と接続される表示装置における情報端末機の設定方法において、前記情報端末機との間で制御信号の通信接続を行なう制御信号の接続工程と、前記情報端末機との間で映像信号の通信接続を行なう複数の映像信号の接続工程と、前記制御信号が通信可能に接続された情報端末機に対して、前記情報端末機が接続している表示装置から取得した固有情報を要求する工程と、前記情報端末機から受信した前記固有情報に基づき、前記情報端末機が当該表示装置と映像信号が通信可能に接続されているか否かを判定する工程と、前記情報端末機が接続されている制御信号が通信可能な接続部と映像信号が通信可能な接続部とを特定する設定処理工程と、を備えることを特徴とするものである。
【００１８】
また、本発明は、受信した制御信号に基づき設定処理が可能な情報端末機と接続される表示装置と、前記表示装置に接続可能な情報端末機とを含む表示システムにおいて、前記表示装置として、前記情報端末機との間で制御信号の通信接続を行なう制御信号接続部と、前記情報端末機との間で映像信号の通信接続を行なう複数の映像信号接続部と、前記制御信号接続部に接続された情報端末機に対して、前記情報端末機が接続している表示装置から取得した固有情報を要求して、前記情報端末機から受信した前記固有情報に基づき、前記情報端末機が当該表示装置の映像信号接続部と接続されているか否かを判定して、前記情報端末機が接続されている制御信号接続部と映像信号接続部とを特定する設定処理部と、を備える表示装置を用いることを特徴とするものである。
【発明の効果】
【００１９】
本発明の表示装置によれば、受信した制御信号に基づき設定処理が可能な情報端末機と接続される表示装置において、前記情報端末機との間で制御信号の通信接続を行なう制御信号接続部と、前記情報端末機との間で映像信号の通信接続を行なう複数の映像信号接続部と、前記制御信号接続部に接続された情報端末機に対して、前記情報端末機が接続している表示装置から取得した固有情報を要求して、前記情報端末機から受信した前記固有情報に基づき、前記情報端末機が当該表示装置の映像信号接続部と接続されているか否かを判定して、前記情報端末機が接続されている制御信号接続部と映像信号接続部とを特定する設定処理部と、を備えることで、制御信号接続部を介して制御信号を送受信することで、簡単に表示装置の接続先の情報端末機の情報を取得することができる。これにより、取得した情報端末機の接続している表示装置の固有情報と当該表示装置の固有情報に基づき、ユーザにより表示装置に対して操作を可能とする情報端末機の制御信号接続部と映像信号接続部の設定を行なうことなく、簡単に情報端末機と表示装置とが接続される制御信号接続部と映像信号接続部を判定して、接続している情報端末機の制御信号接続部と映像信号接続部の組み合わせを自動的に設定することができる。これにより、会議を効率的に進行することができる。
【００２０】
また、本発明の表示装置における情報端末機の設定方法によれば、受信した制御信号に基づき設定処理が可能な情報端末機と接続される表示装置における情報端末機の設定方法において、前記情報端末機との間で制御信号の通信接続を行なう制御信号の接続工程と、前記情報端末機との間で映像信号の通信接続を行なう複数の映像信号の接続工程と、前記制御信号が通信可能に接続された情報端末機に対して、前記情報端末機が接続している表示装置から取得した固有情報を要求する工程と、前記情報端末機から受信した前記固有情報に基づき、前記情報端末機が当該表示装置と映像信号が通信可能に接続されているか否かを判定する工程と、前記情報端末機が接続されている制御信号が通信可能な接続部と映像信号が通信可能な接続部とを特定する設定処理工程と、を備えることで、制御信号接続部を介して制御信号を送受信することで、簡単に表示装置の接続先の情報端末機の情報を取得することができる。これにより、取得した情報端末機の接続している表示装置の固有情報と当該表示装置の固有情報に基づき、ユーザにより表示装置に対して操作を可能とする情報端末機の制御信号接続部と映像信号接続部の設定を行なうことなく、簡単に情報端末機と表示装置とが接続される制御信号接続部と映像信号接続部を判定して、接続している情報端末機の制御信号接続部と映像信号接続部の組み合わせを自動的に設定することができる。これにより、会議を効率的に進行することができる。  
【００２１】
また、本発明の表示システムによれば、受信した制御信号に基づき設定処理が可能な情報端末機と接続される表示装置と、前記表示装置に接続可能な情報端末機とを含む表示システムにおいて、前記表示装置として、前記情報端末機との間で制御信号の通信接続を行なう制御信号接続部と、前記情報端末機との間で映像信号の通信接続を行なう複数の映像信号接続部と、前記制御信号接続部に接続された情報端末機に対して、前記情報端末機が接続している表示装置から取得した固有情報を要求して、前記情報端末機から受信した前記固有情報に基づき、前記情報端末機が当該表示装置の映像信号接続部と接続されているか否かを判定して、前記情報端末機が接続されている制御信号接続部と映像信号接続部と、を備えることで、制御信号接続部を介して制御信号を送受信することで、簡単に表示装置の接続先の情報端末機の情報を取得することができる。これにより、取得した情報端末機の接続している表示装置の固有情報と当該表示装置の固有情報に基づき、ユーザにより表示装置に対して操作を可能とする情報端末機の制御信号接続部と映像信号接続部の設定を行なうことなく、簡単に情報端末機と表示装置とが接続される制御信号接続部と映像信号接続部を判定して、接続している情報端末機の制御信号接続部と映像信号接続部の組み合わせを自動的に設定することができる。これにより、会議を効率的に進行することができる。
【図面の簡単な説明】
【００２２】
【図１】第１実施形態に係る表示システムを構成するディスプレイの概略構成を示すブロック図である。
【図２】前記表示システムの全体構成の概略を示す説明図である。
【図３】前記表示システムにおいて、ディスプレイに対して情報処理装置を設定する処理を示すフローチャートである。
【図４】前記表示システムにおいて複数のユーザがディスプレイを複数のユーザの情報処理装置により操作する場合の一例を示す説明図である。
【図５】前記表示システムにおいて操作するユーザの情報処理装置が切り替わる状態を示す説明図である。
【図６】第２実施形態に係る表示システムにおいて、ディスプレイに対して情報処理装置を設定する処理を示すフローチャートである。
【図７】第３実施形態に係る表示システムのディスプレイによるマルチ画面表示の一例を示す説明図である。
【図８】前記表示システムにおいて、ディスプレイに対して情報処理装置を設定する処理を示すフローチャートである。
【図９】従来のディスプレイの構成の概略を示す説明図である。
【発明を実施するための形態】
【００２３】
（第１実施形態）
以下、本発明に係る表示システムを実施するための形態について図面を参照して説明する。
図１は発明を実施する形態の一例であって、第１実施形態に係る表示システムを構成するディスプレイの概略構成を示すブロック図、図２は前記表示システムの全体構成の概略を示す説明図である。
【００２４】
第１実施形態に係る表示システム１に用いられるディスプレイ（表示装置）１０は、大画面のディスプレイであって、図１，図２に示すように、当該ディスプレイ１０と複数の情報処理装置２０（２１，２２，２３）との間で制御信号と映像信号の通信接続を行ない、接続された情報処理装置による操作を可能にしたディスプレイであって、ディスプレイ１０と情報処理装置２０との間で制御信号の通信接続を行なう複数のＵＳＢ端子（制御信号接続部）１３０（１３１，１３２）と、ディスプレイ１０と情報処理装置２０との間で映像信号の通信接続を行なう複数の映像入力端子（第１の映像入力端子１４０，第２の映像入力端子１５０）と、を備え、さらに、ディスプレイ１０と情報処理装置２０との間で制御信号の接続または映像信号の接続を検出した時、ディスプレイ１０に接続されている情報処理装置２０にディスプレイ１０の固有情報を送信する入力信号処理部（固有情報送信部）１１４と、ＵＳＢ端子１３０に接続された情報処理装置２０に対して情報処理装置２０が接続している表示装置の固有情報を要求して、情報処理装置２０から送信された固有情報に基づき、情報処理装置２０がディスプレイ１０の映像入力端子と接続されているか否かを判定して、情報処理装置２０が接続されている映像入力端子を特定する映像端子・ＵＳＢ端子紐付け処理部（設定処理部）１２２と、を備えることを特徴としている。
【００２５】
そして、第１実施形態では、表示システム１により、図２に示すように、複数の情報処理装置２０（２１，２２，２３）をそれぞれディスプレイ１０に接続して操作する際に、映像ケーブル１４０ｂを接続した状態で、操作する情報処理装置２０のＵＳＢケーブル１３０ｂをディスプレイ１０のＵＳＢ端子１３１または１３２に接続することで、ディスプレイ１０に対して自動的に設定が行なわれるようにしたことを特徴としている。
【００２６】
まず、第１実施形態に係るディスプレイ１０の構成について説明する。
ディスプレイ１０は、図１に示すように、ＵＳＢ端子１３０、第１の映像入力端子１４０、第２の映像入力端子１５０、表示デバイス１１１、タッチパネルデバイス１１２、記憶デバイス１１３、入力信号処理部１１４、ＯＳＤ処理部１１６、タッチ処理部１１７、表示駆動部１１８に加えて、さらに、ＵＳＢデバイス通信処理部１２１と映像端子・ＵＳＢ端子紐付け処理部１２２とを備えて構成されている。
【００２７】
ＵＳＢ端子１３０は、タッチ情報や接続ディスプレイ情報などのデータを送受信するための端子である。
【００２８】
第１の映像入力端子１４０および第２の映像入力端子１５０は、ＨＤＭＩ端子、ディスプレイポート端子、ＤＶＩ・ＶＧＡ端子等の映像信号を受信するための端子である。
映像信号の種類は、アナログ、デジタルを問わない。
【００２９】
表示デバイス１１１は、ＣＲＴ、液晶、ＬＥＤ、プラズマ等の方式による表示デバイスである。
【００３０】
タッチパネルデバイス１１２は、赤外線方式、静電容量方式等のタッチパネルデバイスである。
【００３１】
記憶デバイス１１３は、各処理に必要な一時情報を保存したり、ディスプレイ１０の設定情報を保存したりする。一般的に、１つのディスプレイ中に複数の記憶デバイスを持ち、揮発性等の性能でそれらの用途を分ける。
【００３２】
入力信号処理部１１４は、映像信号の受信処理、複数ある映像入力端子から送られてくる映像信号のうち表示するものを選ぶスイッチング処理、映像信号から得た映像データに時空間フィルタをかける処理等を行う。
【００３３】
また、入力信号処理部１１４は、固有情報送信部として機能して、映像入力端子を介して外部の情報処理装置と接続されると、ディスプレイ１０の固有情報（接続ディスプレイ情報）を送信することを特徴としている。
【００３４】
ＯＳＤ処理部１１６は、ディスプレイ１０の設定が可能なメニュー等を表示する処理を行う。ＯＳＤ操作を通じて映像端子・ＵＳＢ端子紐づけ処理部を呼び出すことが出来る。
【００３５】
タッチ処理部１１７は、タッチパネルデバイス１１２の入力情報からタッチされた座標等の操作情報を導出する。
【００３６】
表示駆動部１１８は、映像データを表示デバイス１１１が表示可能な形式に変換して出力する。
【００３７】
ＵＳＢデバイス通信処理部１２１は、固有情報送信部として機能して、タッチ情報やパソコン上の接続されているディスプレイの固有情報（接続ディスプレイ情報）等を送受信する。そして、ＵＳＢ端子１３０の接続先の情報処理装置２０へ、情報処理装置２０が接続しているディスプレイの固有情報を要求する情報取得要求コマンドを送信することを特徴としている。
【００３８】
固有情報は、ディスプレイ１０のＥＤＩＤに含まれる情報であって、表示装置の製造メーカ名、機種名、プロダクツコード、シリアル番号の情報や、接続端子の情報を含むことでディスプレイを特定する。接続端子の情報として、ＨＤＭＩ端子やディスプレイポート等の区別も含む。
【００３９】
映像端子・ＵＳＢ端子紐づけ処理部１２２は、ＵＳＢデバイス通信処理部１２１や入力信号処理部１１４を通じて情報処理装置２０の有するディスプレイの固有情報を取得し、第１の映像入力端子１４０または第２の映像入力端子１５０と、ＵＳＢ端子１３０の紐づけを行い記憶デバイス１１３に保存する。そして、固有情報に基づき、情報処理装置２０が当該ディスプレイ１０と接続されているか否かを判定し、情報処理装置２０が接続されている映像入力端子を特定することを特徴としている。
【００４０】
また、ディスプレイ１０は、図２に示すように、背面１０１の底面側には、ＵＳＢ端子１３１と、第１の映像入力端子１４０としてＨＤＭＩ１端子１４１と、第２の映像入力端子１５０としてディスプレイポート１端子１５１とが設けられ、背面１０１の側面側には、ＵＳＢ端子１３２と、第１の映像入力端子１４０としてＨＤＭＩ２端子１４２，ＨＤＭＩ３端子１４３、と、第２の映像入力端子１５０としてディスプレイポート２端子１５２，Ｄ−Ｓｕｂ端子１５３とが設けられている。
【００４１】
複数の情報処理装置２１，２２，２３は、図中ではそれぞれＰＣ１，ＰＣ２，ＰＣ３で示すものとする。
【００４２】
そして、ディスプレイ１０と情報処理装置２１，２２，２３は、それぞれＵＳＢケーブル１３０ｂを介して接続されて制御信号が送受信され、映像ケーブル１４０ｂを介して接続されて映像信号が送受信される。
【００４３】
次に、表示システム１において、ディスプレイ１０に対して操作が反映される情報処理装置２０を設定する処理についてフローチャートに沿って説明する。
図３は第１実施形態の表示システムにおいて、ディスプレイに対して情報処理装置を設定する処理を示すフローチャートである。
なお、図３のフローチャートの説明に際しては、各部の構成は図１、図２を参照するものとする。
【００４４】
表示システム１において、ディスプレイ１０に対して情報処理装置２０を接続して操作を反映する設定を行なう場合は、図３に示すように、まず、情報処理装置２０に接続されたＵＳＢケーブル１３０ｂ，映像ケーブル１４０ｂを、ディスプレイ１０側のＵＳＢ端子（ＵＳＢ端子１３１またはＵＳＢ端子１３２），映像入力端子（ＨＤＭＩ端子またはディスプレイポート）に接続する（ステップＳ１２１）。
【００４５】
ディスプレイ１０と情報処理装置２０とが映像ケーブル１４０ｂまたはＵＳＢケーブル１３０ｂで接続されると、入力信号処理部１１４またはＵＳＢデバイス通信処理部１２１によりディスプレイ１０からディスプレイ１０のＥＤＩＤ情報が情報処理装置２０に送信される。
【００４６】
情報処理装置２０では、接続されたディスプレイ１０のＥＤＩＤ情報から固有情報であるディスプレイ情報を取得する（ステップＳ１２２）。
【００４７】
ディスプレイ１０では、接続状態を確認するＵＳＢ端子を選択して（ステップＳ１０１）、ＵＳＢケーブル１３０ｂを経由してディスプレイ１０から情報処理装置２０へ固有情報であるディスプレイ情報を送信するように「ディスプレイ情報取得要求」を送信する（ステップＳ１０２）。
【００４８】
情報処理装置２０では、「ディスプレイ情報取得要求」を受信すると、ディスプレイ情報を含む「ディスプレイ情報取得要求応答」をディスプレイ１０に送信する（ステップＳ１２３）。
【００４９】
ディスプレイ１０では、映像端子・ＵＳＢ端子紐付け処理部１２２により情報処理装置２０が映像入力端子で接続されているディスプレイが当該ディスプレイ１０であるかを判定処理が行なわれる（ステップＳ１０３）。
【００５０】
映像端子・ＵＳＢ端子紐付け処理部１２２において、情報処理装置２０が接続されているディスプレイが当該ディスプレイ１０であると判定された場合はステップＳ１０６に進み、情報処理装置２０が接続されているディスプレイが当該ディスプレイ１０ではないと判定された場合はステップＳ１０７に進む（ステップＳ１０５）
【００５１】
ステップＳ１０６では、ディスプレイ１０と情報処理装置２０とが接続されるＵＳＢ端子と映像入力端子を特定して、情報処理装置２０の操作が反映するようにタッチ出力設定を変更する。
【００５２】
ステップＳ１０７では、全てのＵＳＢ端子について接続確認が完了したか否かが判定される。ステップＳ１０７において、全てのＵＳＢ端子について接続確認が完了したと判定された場合は、ディスプレイ１０の表示デバイス１１１にタッチ出力設定の結果を表示する（ステップＳ１０８）。
【００５３】
一方、ステップＳ１０７において、全てのＵＳＢ端子について接続確認が完了していないと判定された場合は、ステップＳ１０１に戻り、確認していないＵＳＢ端子について確認処理を続行する。
【００５４】
このようにして、全てのＵＳＢ端子について接続確認を行なった後、ディスプレイ１０の表示デバイス１１１にタッチ出力設定の結果を表示して（ステップＳ１０８）、情報処理装置２０を設定する処理が終了する。
【００５５】
なお、ディスプレイ１０と情報処理装置２０とのＵＳＢ端子と映像入力端子との有効な組み合わせが無い場合には、ＵＳＢ端子と映像入力端子との有効な組み合わせが無い、または、設定される情報処理装置が無い旨を通知するようにしてもよい。
【００５６】
また、ディスプレイ１０と情報処理装置２０との間でＵＳＢ端子が接続されていない場合には、ＵＳＢ端子が接続されていない旨を通知するようにしてもよい。
【００５７】
次に、第１実施形態の表示システム１において、ディスプレイ１０を複数のユーザの情報処理装置により操作する場合について図面を参照して説明する。
図４は第１実施形態に係る表示システムにおいて複数のユーザがディスプレイを複数のユーザの情報処理装置により操作する場合の一例を示す説明図、図５は前記表示システムにおいて操作するユーザの情報処理装置が切り替わる状態を示す説明図である。
【００５８】
ここでは、図４に示すように、表示システム１において、ユーザＡの情報処理装置２１は、ディスプレイ１０に対して映像ケーブル１４０ｂがＨＤＭＩ端子に接続され、ＵＳＢケーブル１３０ｂがＵＳＢ端子に接続されている。
【００５９】
一方、ユーザＢの情報処理装置２２は、ディスプレイ１０に対して映像ケーブル１４０ｂがディスプレイポート端子に接続されているが、ＵＳＢケーブル１３０ｂは接続されていない。
【００６０】
このとき、ディスプレイ１０の表示デバイス１１１には、ディスプレイ１０におけるタッチ操作の出力先が「ＨＤＭＩ端子」である旨が表示される。
【００６１】
この状態において、ユーザＡの情報処理装置２１は、ディスプレイ１０に対して制御信号が通信可能なようにＵＳＢケーブル１３０ｂを介して接続され、映像信号が通信可能なように映像ケーブル１４０ｂを介してＨＤＭＩ端子に接続されることで、ユーザＡの情報処理装置２１は自動的に映像出力の設定と操作出力の設定（ディスプレイ１０のおけるタッチ操作の出力先の設定）が行なわれる。
【００６２】
これにより、ユーザＡの情報処理装置２１の映像がディスプレイ１０に表示され、情報処理装置２１における操作がディスプレイ１０に反映されるようになっている。そして、ディスプレイ１０におけるタッチ操作の出力先が情報処理装置２１に設定されている。
【００６３】
一方、ユーザＢの情報処理装置２１はディスプレイ１０に対して出力設定がされていないため、映像の表示もディスプレイ１０によるタッチ操作も反映されない。
【００６４】
ユーザＢの情報処理装置２２によりディスプレイ１０を用いた操作を行なう場合は、図５に示すように、ユーザＡの情報処理装置２１に接続されているＵＳＢケーブル１３０ｂ取り外して、ユーザＢの情報処理装置２２とディスプレイ１０とをＵＳＢケーブル１３０ｂにより接続するだけでディスプレイ１０に対してユーザＢの情報処理装置２２による操作が反映されるように設定が変更される。このとき、ユーザＢの情報処理装置２２がディスプレイ１０に対して映像ケーブル１４０ｂを介してディスプレイポート端子に接続されていることが特定される。
【００６５】
これにより、ユーザＢの情報処理装置２２の映像がディスプレイ１０に表示され、情報処理装置２２における操作がディスプレイ１０に反映される。そして、ディスプレイ１０によるタッチ操作の出力先も情報処理装置２２に設定される。
【００６６】
このとき、ディスプレイ１０の表示デバイス１１１には、新たなＵＳＢ接続を検知して、タッチ操作の出力先が「ＨＤＭＩ端子」から「ディスプレイポート端子」に変更した旨が表示される。
【００６７】
このようにして、情報処理装置に接続されるＵＳＢケーブル１３０ｂの接続先を変更するだけで、ディスプレイ１０において設定の変更を行なうことなく、自動的に特定の情報処理装置に設定することができる。
【００６８】
以上のように構成したので、第１実施形態によれば、ディスプレイ１０と情報処理装置２０との間で制御信号と映像信号の通信接続を行ない、接続された情報処理装置２０による操作を可能にしたディスプレイ１０において、複数のＵＳＢ端子（ＵＳＢ端子１３１，１３２）と、複数の映像入力端子（第１の映像入力端子１４０、第２の映像入力端子１５０）と、ＵＳＢデバイス通信処理部１２１と、映像端子・ＵＳＢ端子紐付け処理部１２２と、を備えることで、ＵＳＢ端子を介して制御信号を送受信することで、簡単にディスプレイ１０の接続先の情報処理装置２０の情報を取得することができる。これにより、取得した情報処理装置２０の接続しているディスプレイの固有情報と当該ディスプレイ１０の固有情報に基づき、ユーザによりディスプレイ１０に対する情報処理装置２０の設定を行なうことなく、簡単に情報処理装置２０とディスプレイ１０とが接続されるＵＳＢ端子と映像入力端子を判定して、接続している情報処理装置２０のＵＳＢ端子と映像入力端子の組み合わせを自動的に設定することができる。これにより、大画面のディスプレイ１０を用いて、会議を効率的に進行することができる。
【００６９】
（第２実施形態）
次に、第２実施形態について説明する。
図６は第２実施形態に係る表示システムにおいて、ディスプレイに対して情報処理装置を設定する処理を示すフローチャートである。
【００７０】
なお、第２実施形態の表示システムは、第１実施形態の表示システムと同様な構成を有するものであり、情報処理装置を設定する処理工程の一部が異なるものである。よって、同様な構成を有するものは、同じ符号を付することで説明を省略する。
また、図６のフローチャートの説明に際しては、各部の構成は図１、図２を参照するものとする。
【００７１】
第２実施形態は、表示システムにおいて、ディスプレイがＵＳＢ端子への接続を検知した情報処理装置のみ設定を行なうことを特徴とするものである。
【００７２】
以下に、表示システム１において、ディスプレイ１０に対して操作が反映される情報処理装置２０を設定する処理についてフローチャートに沿って説明する。
【００７３】
第２実施形態では、表示システム１において、ディスプレイ１０に対して情報処理装置２０を接続して操作を反映する設定を行なう場合は、図６に示すように、まず、情報処理装置２０に接続されたＵＳＢケーブル１３０ｂ，映像ケーブル１４０ｂを、ディスプレイ１０側のＵＳＢ端子（ＵＳＢ端子１３１またはＵＳＢ端子１３２），映像入力端子（ＨＤＭＩ端子またはディスプレイポート）に接続する（ステップＳ２２１）。
【００７４】
ディスプレイ１０と情報処理装置２０とが映像ケーブル１４０ｂで接続されると、入力信号処理部１１４によりディスプレイ１０からディスプレイ１０のＥＤＩＤ情報が情報処理装置２０に送信される。
【００７５】
情報処理装置２０では、接続されたディスプレイ１０のＥＤＩＤ情報から固有情報であるディスプレイ情報を取得する（ステップＳ２２２）。
【００７６】
ディスプレイ１０では、接続検知したＵＳＢ端子を選択して（ステップＳ２０１）、ＵＳＢケーブル１３０ｂを経由してディスプレイ１０から情報処理装置２０へ固有情報であるディスプレイ情報を送信するように「ディスプレイ情報取得要求」を送信する（ステップＳ２０２）。
【００７７】
情報処理装置２０では、「ディスプレイ情報取得要求」を受信すると、ディスプレイ情報を含む「ディスプレイ情報取得要求応答」をディスプレイ１０に送信する（ステップＳ２２３）。
【００７８】
ディスプレイ１０では、映像端子・ＵＳＢ端子紐付け処理部１２２により情報処理装置２０が映像入力端子で接続されているディスプレイが当該ディスプレイ１０であるかを判定処理が行なわれる（ステップＳ２０３）。
【００７９】
映像端子・ＵＳＢ端子紐付け処理部１２２において、情報処理装置２０が接続されているディスプレイが当該ディスプレイ１０であると判定された場合はステップＳ２０６に進み、情報処理装置２０が接続されているディスプレイが当該ディスプレイ１０ではないと判定された場合はステップＳ２０７に進む（ステップＳ２０５）
【００８０】
ステップＳ２０６では、ディスプレイ１０と情報処理装置２０とが接続されるＵＳＢ端子と映像入力端子を特定して、情報処理装置２０の操作が反映するようにタッチ出力設定を変更する。
【００８１】
ステップＳ２０７では、ディスプレイ１０の表示デバイス１１１にタッチ出力設定の結果を表示する。
【００８２】
このようにして、ディスプレイ１０に接続されたＵＳＢ端子について接続確認を行なった後、ディスプレイ１０の表示デバイス１１１にタッチ出力設定の結果を表示して、情報処理装置２０を設定する処理が終了する。
【００８３】
なお、ディスプレイ１０と情報処理装置２０とのＵＳＢ端子と映像入力端子との有効な組み合わせが無い場合には、ＵＳＢ端子と映像入力端子との有効な組み合わせが無い、または、設定される情報処理装置が無い旨を通知するようにしてもよい。
【００８４】
以上のように構成したので、第２実施形態によれば、表示システム１において、ディスプレイ１０のＵＳＢ端子に対して１台の情報処理装置２０が接続されたことが検知された場合に、ディスプレイ１０に接続される映像入力端子を特定して、情報処理装置２０の操作が反映するようにタッチ出力設定することを容易に行なうことができる。
【００８５】
（第３実施形態）
次に、本発明の第３実施形態について説明する。
図７は第３実施形態に係る表示システムのディスプレイによるマルチ画面表示の一例を示す説明図、図８は前記表示システムにおいて、ディスプレイに対して情報処理装置を設定する処理を示すフローチャートである。
【００８６】
なお、第３実施形態の表示システムは、第１実施形態の表示システムと同様な構成を有するものであり、情報処理装置を設定する処理工程の一部が異なるものである。よって、同様な構成を有するものは、同じ符号を付することで説明を省略する。
また、図８のフローチャートの説明に際しては、各部の構成は図１、図２を参照するものとする。
【００８７】
第３実施形態は、表示システム３００において、図７に示すように、ディスプレイ３１０の表示デバイス３１１上でマルチ画面表示を行なう場合に、単一画面表示と同様にＵＳＢ端子と映像入力端子との組合せを確認して、どの画面からタッチ出力するかをユーザが選択することで、その画面に対応した情報処理装置のタッチ出力設定を行なうことを特徴とするものである。
【００８８】
表示システム３００では、ディスプレイ３１０に対して情報処理装置２１、２２が接続されている。
【００８９】
情報処理装置２１は、ディスプレイ３１０に対してＵＳＢケーブル１３０ｂが側面側のＵＳＢ端子１３２に接続され、映像ケーブル１４０ｂが側面側のＨＤＭＩ２端子１４２に接続されている。
【００９０】
情報処理装置２２は、ディスプレイ３１０に対してＵＳＢケーブル１３０ｂが底面側のＵＳＢ端子１３１に接続され、映像ケーブル１４０ｂが底面側のディスプレイポート１端子１５１に接続されている。
【００９１】
ディスプレイ３１０は、情報処理装置２１，２２による接続状態を認識して、その結果を表示デバイス３１１上に設定画面３２０として表示するようにされている。
【００９２】
設定画面３２０には、タッチ出力用の画面を選択するキースイッチ３３１，３３２が表示されて、ユーザによってタッチ出力設定される画面、すなわち、タッチ出力設定される情報処理装置２０を選択するようにされている。
【００９３】
ユーザは、設定画面３２０において、タッチ出力設定される画面のキースイッチをタッチ操作するだけで、タッチ出力設定される情報処理装置２０を選択することができる。
【００９４】
次に、表示システム３００において、ディスプレイ３１０に対して操作が反映される情報処理装置２０を設定する処理についてフローチャートに沿って説明する。
【００９５】
第３実施形態では、表示システム３００において、ディスプレイ３１０に対して情報処理装置２０（２１，２２）を接続して操作を反映する設定を行なう場合は、図８に示すように、まず、情報処理装置２０（２１，２２）に接続されたＵＳＢケーブル１３０ｂ，映像ケーブル１４０ｂを、ディスプレイ３１０側のＵＳＢ端子（ＵＳＢ端子１３１またはＵＳＢ端子１３２），映像入力端子（ＨＤＭＩ端子またはディスプレイポート）に接続する（ステップＳ３２１）。
【００９６】
ディスプレイ３１０と情報処理装置２０（２１，２２）とが映像ケーブル１４０ｂで接続されると、入力信号処理部１１４によりディスプレイ３１０からディスプレイ３１０のＥＤＩＤ情報が情報処理装置２０（２１，２２）に送信される。
【００９７】
情報処理装置２０（２１，２２）では、接続されたディスプレイ３１０のＥＤＩＤ情報から固有情報であるディスプレイ情報を取得する（ステップＳ３２２）。
【００９８】
ディスプレイ３１０では、確認するＵＳＢ端子を選択して（ステップＳ３０１）、ＵＳＢケーブル１３０ｂを経由してディスプレイ３１０から情報処理装置２０（２１，２２）へ固有情報であるディスプレイ情報を送信するように「ディスプレイ情報取得要求」を送信する（ステップＳ３０２）。
【００９９】
情報処理装置２０（２１，２２）では、「ディスプレイ情報取得要求」を受信すると、ディスプレイ情報を含む「ディスプレイ情報取得要求応答」をディスプレイ３１０に送信する（ステップＳ３２３）。
【０１００】
ディスプレイ３１０では、映像端子・ＵＳＢ端子紐付け処理部１２２により情報処理装置２０（２１，２２）が映像入力端子で接続されているディスプレイが当該ディスプレイ３１０であるかを判定処理が行なわれる（ステップＳ３０３）。
【０１０１】
映像端子・ＵＳＢ端子紐付け処理部１２２において、情報処理装置２０（２１，２２）が接続されているディスプレイが当該ディスプレイ３１０であると判定された場合はステップＳ３０６に進み、情報処理装置２０（２１，２２）が接続されているディスプレイが当該ディスプレイ３１０ではないと判定された場合はステップＳ３０７に進む（ステップＳ３０５）
【０１０２】
ステップＳ３０６では、ディスプレイ３１０と情報処理装置２０（２１，２２）とが接続されるＵＳＢ端子と映像入力端子を特定して、情報処理装置２０（２１，２２）の操作が反映するようにタッチ出力設定を変更する。
【０１０３】
ステップＳ３０７では、全てのＵＳＢ端子について接続確認が完了したか否かが判定される。ステップＳ３０７において、全てのＵＳＢ端子について接続確認が完了したと判定された場合は、ディスプレイ３１０の表示デバイス３１１にタッチ出力設定の結果を表示する（ステップＳ３０８）。
【０１０４】
一方、ステップＳ３０７において、全てのＵＳＢ端子について接続確認が完了していないと判定された場合は、ステップＳ３０１に戻り、確認していないＵＳＢ端子について確認処理を続行する。
【０１０５】
このようにして、全てのＵＳＢ端子について接続確認を行なった後、ディスプレイ３１０の表示デバイス３１１にタッチ出力設定の結果を表示して（ステップＳ３０８）、情報処理装置２０を設定する処理が終了する。
【０１０６】
ディスプレイ３１０の表示デバイス３１１上への結果表示は、図７に示すように、ディスプレイ３１０にマルチ画面表示する入力映像に対して、情報処理装置２１，２２のように有効なＵＳＢ端子と映像入力端子との組み合わせがある場合は、表示デバイス３１１上に設定画面３２０を表示して、どの画面のタッチ操作を有効にするかをキースイッチ３３１，３３２により選択するようにしてもよい。
【０１０７】
以上のように構成したので、第３実施形態によれば、表示システム３００において、ディスプレイ３１０の表示デバイス３１１上でマルチ画面表示を行なう場合に、複数の情報処理装置２０において有効なＵＳＢ端子と映像入力端子との組み合わせがあるときは、タッチ出力設定する画面を選択可能な設定画面３２０を表示することで、ユーザがタッチ出力設定する画面を選択するだけで、簡単にタッチ出力設定される情報処理装置２０を特定して設定することができる。
【０１０８】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１０９】
１，３００  表示システム
１０，３１０  ディスプレイ（表示装置）
２０，２１，２２，２３  情報処理装置（情報端末機）
１１４  入力信号処理部（固有情報送信部）
１１１，３１１  表示デバイス
１２１  ＵＳＢデバイス通信処理部（固有情報送信部）
１２２  映像端子・ＵＳＢ端子紐付け処理部（設定処理部）
１３０，１３１，１３２  ＵＳＢ端子
１３０ｂ  ＵＳＢケーブル
１４０  第１の映像入力端子
１４０ｂ  映像ケーブル
１４１  ＨＤＭＩ１端子
１４２  ＨＤＭＩ２端子
１４３  ＨＤＭＩ３端子
１５０  第２の映像入力端子
１５１  ディスプレイポート１端子
１５２  ディスプレイポート２端子
１５３  Ｄ−ｓｕｂ端子
３２０  設定画面
３３１，３３２  キースイッチ
【図１】
2018194584.tif 000003
【図２】
2018194584.tif 000004
【図３】
2018194584.tif 000005
【図４】
2018194584.tif 000006
【図５】
2018194584.tif 000007
【図６】
2018194584.tif 000008
【図７】
2018194584.tif 000009
【図８】
2018194584.tif 000010
【図９】
2018194584.tif 000011